(57)【要約】【課題】ユーザーがタッチパネルのどの場所を押下しても振動によって押下したことを認識できる。【解決手段】画像信号に基づいて操作面１３ａに操作ボタン表示し、操作面における押圧位置を検出信号として出力するタッチパネル１３を備える操作表示装置であって、タッチパネル１３の操作面１３ａの反対側の面に設けられた複数の圧電素子１４ａと、圧電素子１４ａが押圧されたことを検出する検出手段１４ｂと、検出手段１４ｂによって圧電素子１４ａが押圧されたことが検出されると、圧電素子１４ａ同士を同調させて振動させる制御手段１１とを具備する。【選択図】図３
2014149588.tif 000002
【特許請求の範囲】
【請求項１】
画像信号に基づいて操作面に操作ボタン表示し、前記操作面における押圧位置を検出信号として出力するタッチパネルを備える操作表示装置であって、
前記タッチパネルの前記操作面の反対側の面に設けられた複数の圧電素子と、
前記圧電素子が押圧されたことを検出する検出手段と、
前記検出手段によって前記圧電素子が押圧されたことが検出されると、前記圧電素子同士を同調させて振動させる制御手段とを具備することを特徴とする操作表示装置。
【請求項２】
前記制御手段は、前記検出手段によって前記圧電素子が押圧されたことが検出され、かつ、前記タッチパネルから入力される検出信号に基づいて前記タッチパネルの操作面上の押圧位置が操作ボタン上である場合には、前記圧電素子同士を同調させて振動させる制御手段を具備することを特徴とする請求項１に記載の操作表示装置。
【請求項３】
前記検出手段は、サーミスターあるいは熱電対を有し、前記圧電素子が押圧されることで発生する熱を前記サーミスターあるいは前記熱電対により検出することで前記圧電素子が押圧されたことを検出することを特徴とする請求項１または２に記載の操作表示装置。
【請求項４】
前記制御手段は、前記タッチパネルが受け付けた設定指示に基づいて前記圧電素子を振動させる強度を変更することを特徴とする請求項１〜３のいずれか一項に記載の操作表示装置。
【請求項５】
前記制御手段は、前記タッチパネルが受け付けた設定指示に基づいて前記圧電素子を振動させる周波数を変更することを特徴とする請求項１〜４のいずれか一項に記載の操作表示装置。
【請求項６】
請求項１〜５のいずれか一項に記載の操作表示装置を備え、前記操作表示装置によって画像形成に関する操作を受け付けることを特徴とする画像形成装置。
【発明の詳細な説明】
【技術分野】
【０００１】
本発明は、操作表示装置及び画像形成装置に関する。
【背景技術】
【０００２】
下記特許文献１には、複数の圧電素子によって支持されるタッチパネルが設けられ、このタッチパネルの操作面を指で押圧することによって圧電素子に電圧が生じ、その電圧を検出することにより操作圧力と操作位置とを検知し、所定の閾値より大きい操作圧力が検知されたとき、圧電素子に高周波を与え、それによって操作面を振動することで、ユーザーがその振動により確実な操作感を得ることができる情報表示装置が開示されている。
【先行技術文献】
【特許文献】
【０００３】
【特許文献１】特開平１１−２１２７２５号公報
【発明の概要】
【発明が解決しようとする課題】
【０００４】
ところで、上記従来技術では、各圧電素子を同調させることなく振動させる、つまり圧電素子をバラバラに振動させているので、押下した場所によっては各圧電素子で発生させた振動同士の干渉によって振動が弱くなってしまうこともあり、ユーザーが振動によってタッチパネルを押下したことを認識できない可能性がある。
【０００５】
本発明は、上述した事情に鑑みてなされたものであり、ユーザーがタッチパネルのどの場所を押下しても振動によって押下したことを認識できることを目的とする。
【課題を解決するための手段】
【０００６】
上記目的を達成するために、本発明では、操作表示装置に係る第１の解決手段として、画像信号に基づいて操作面に操作ボタン表示し、操作面における押圧位置を検出信号として出力するタッチパネルを備える操作表示装置であって、タッチパネルの操作面の反対側の面に設けられた複数の圧電素子と、圧電素子が押圧されたことを検出する検出手段と、検出手段によって圧電素子が押圧されたことが検出されると、圧電素子同士を同調させて振動させる制御手段とを具備する、という手段を採用する。
【０００７】
本発明では、操作表示装置に係る第２の解決手段として、上記第１の解決手段において、制御手段は、検出手段によって圧電素子が押圧されたことが検出され、かつ、タッチパネルから入力される検出信号に基づいてタッチパネルの操作面上の押圧位置が操作ボタン上である場合には、圧電素子同士を同調させて振動させる制御手段を具備する、という手段を採用する。
【０００８】
本発明では、操作表示装置に係る第３の解決手段として、上記第１または第２の解決手段において、検出手段は、サーミスターあるいは熱電対を有し、圧電素子が押圧されることで発生する熱をサーミスターあるいは熱電対により検出することで圧電素子が押圧されたことを検出する、という手段を採用する。
【０００９】
本発明では、操作表示装置に係る第４の解決手段として、上記第１〜第３のいずれか１つの解決手段において、制御手段は、タッチパネルが受け付けた設定指示に基づいて圧電素子を振動させる強度を変更する、という手段を採用する。
【００１０】
本発明では、操作表示装置に係る第５の解決手段として、上記第１〜第４のいずれか１つの解決手段において、制御手段は、タッチパネルが受け付けた設定指示に基づいて圧電素子を振動させる周波数を変更する、という手段を採用する。
【００１１】
本発明では、画像形成装置に係る解決手段として、上記第１〜第５のいずれか１つの解決手段を採用する操作表示装置を具備し、該操作表示装置によって画像形成に関する操作を受け付ける、という手段を採用する。
【発明の効果】
【００１２】
本発明によれば、タッチパネルの操作面の反対側の面に設けられた複数の圧電素子と、圧電素子が押圧されたことを検出する検出手段と、検出手段によって圧電素子が押圧されたことが検出されると、圧電素子同士の振動を同調させる制御手段とを具備することによって、ユーザーがタッチパネルのどの場所を押下しても振動によって押下したことを認識できる。
【図面の簡単な説明】
【００１３】
【図１】本発明の一実施形態に係る画像形成装置の機能ブロック図である。
【図２】本発明の一実施形態における操作表示部１の平面図である。
【図３】本発明の一実施形態におけるタッチパネル振動部１４の詳細構成を示す模式図である。
【図４】本発明の一実施形態における画像形成部４の機械構成を示す模式図である。
【図５】本発明の一実施形態に係る複合機Ａの動作を示すフローチャートである。
【発明を実施するための形態】
【００１４】
本実施形態に係る複合機Ａは、電子写真方式に基づいて記録紙に画像を形成する画像形成装置であり、図１に示すように、操作表示部１（操作表示装置）、画像読取部２、画像データ記憶部３、画像形成部４、通信部５及び演算制御部６を備える。なお、図１における実線矢印は、データの流れ示し、点線矢印は、制御信号や検出信号の流れを示す。
【００１５】
操作表示部１は、操作表示制御部１１、ハードウェアキーである操作キー１２（図２参照）、ソフトウェアキーや各種画像を表示するタッチパネル１３（図２参照）及びタッチパネル振動部１４を備えており、ユーザーと複合機Ａとを関係付けるマンマシンインターフェイスとして機能する。
操作表示制御部１１は、ＣＰＵ（Central Processing Unit）、ＲＯＭ（Read Only Memory）、ＲＡＭ（Random Access Memory）及び電気的に相互接続された操作キー１２、タッチパネル１３、タッチパネル振動部１４及び演算制御部６と各種信号の送受信を行うインターフェイス回路等から構成されており、上記ＲＯＭに記憶された所定の制御プログラムに基づいて操作表示部１の全体動作を制御する。
【００１６】
例えば、この操作表示制御部１１は、タッチパネル１３に表示信号を出力することによりタッチパネル１３に操作ボタンや各種画像を表示させる。また、操作表示制御部１１は、操作キー１２またはタッチパネル１３から入力される操作信号に基づいていずれの操作キー１２またはタッチパネル１３に表示される操作ボタンが操作されたか判定し、判定結果に基づいて指示信号を演算制御部６に出力する。また、詳細については後述するが、操作表示制御部１１は、各種の制御処理の一環として、後述する圧電素子１４ａ同士を同調させて振動させることでタッチパネル１３を振動させる。
【００１７】
操作キー１２は、図２に示すように、ハードウェアキーとして操作表示部１に物理的に備えられたものであり、例えば、電源キー、スタートキー、ストップ／クリアキー及びテンキー（数値入力キー）等がある。操作キー１２では、ユーザーによって上述した各キーが押下されると、各キーから操作信号を操作表示制御部１１に出力する。
【００１８】
タッチパネル１３は、周知のように表示パネルの表示面（操作面１３ａ）に抵抗膜方式等の透明な面状押圧センサーを設けたものであり、操作表示制御部１１から入力される表示信号（画像信号）に基づいて表示パネルに表示した操作ボタンをユーザーの指等によって押圧されると、面状押圧センサーが押圧位置（押圧座標）を示す操作信号（検出信号）を操作表示制御部１１に出力するものである。
【００１９】
タッチパネル振動部１４は、図３に示すように、タッチパネル１３の操作面１３ａの反対側の面（裏面）に取り付けられた複数の圧電素子１４ａ、温度検出部１４ｂ（検出手段）及び駆動部１４ｃを備え、操作表示制御部１１から入力される振動指示信号に基づいて圧電素子１４ａを振動させることによってタッチパネル１３を振動させるものである。なお、操作表示制御部１１及び駆動部１４ｃは、本実施形態における制御手段である。
【００２０】
圧電素子１４ａは、タッチパネル１３におけるユーザーによる操作を受け付ける操作面１３ａとは反対側の面に所定の間隔をあけて張り付けられ、押圧されると歪みで熱（電圧）を発生する。また、圧電素子１４ａは、駆動部１４ｃから印加される電圧によって振動する。この結果、タッチパネル１３の操作面１３ａは、振動する。
温度検出部１４ｂは、サーミスターあるいは熱電対を有し、押圧によって圧電素子１４ａが発生した熱をサーミスターあるいは熱電対によって検出し、検出結果を示す検出信号を操作表示制御部１１に出力する。
駆動部１４ｃは、操作表示制御部１１から入力される振動指示信号に基づいて圧電素子１４ａを振動させるための電圧を発生し、該電圧を圧電素子１４ａに印加する。
【００２１】
画像読取部２は、図４に示すようにＡＤＦ（Automatic document feeder：自動原稿送り装置）２１及びフラットベッド読取部２２から構成されており、演算制御部６から入力される制御信号に基づいてＡＤＦ２１により給紙される原稿またはユーザーによりフラットベッド読取部２２上に載置された原稿の表面画像（原稿画像）を読み取って原稿画像データに変換し、この原稿画像データを画像データ記憶部３に出力する。
【００２２】
画像データ記憶部３は、半導体メモリーまたはハードディスク装置等であり、演算制御部６から入力される制御信号に基づいて上記原稿画像データ、通信部５が外部のクライアントコンピューターから受信するプリント画像データあるいは通信部５が外部のファクシミリ装置から受信するファクシミリ画像データを記憶すると共に、これら画像データを演算制御部６から入力される制御信号に基づいて読み出して画像形成部４に出力する。
【００２３】
画像形成部４は、演算制御部６から入力される制御信号に基づいて、給紙カセット４５から取り出した記録紙Ｐに画像データ記憶部３から読み出した画像データに基づくトナー画像を画像形成するものである。この画像形成部４は、図４に示すように、ベルトローラー４１、中間転写ベルト４２、トナーの各色（Ｙ，Ｃ，Ｍ，Ｋ）に対応する４つの画像形成ユニット４３Ｙ，４３Ｃ，４３Ｍ，４３Ｋ、１次転写ローラー４４Ｙ，４４Ｃ，４４Ｍ，４４Ｋ、給紙カセット４５、ピックアップローラー４６、搬送ローラー４７、レジストローラー４８、２次転写ローラー４９、分離除電部５０、定着ローラー５１、排紙ローラー５２、排紙トレイ５３、反転ローラー５４、分岐ガイド５５、３対の反転紙搬送ローラー５６及び記録紙センサー５７を備えている。
【００２４】
ベルトローラー４１は、図示するように、離間して配設された３つのローラー、つまり駆動ローラー４１ａ、従動ローラー４１ｂ及びテンションローラー４１ｃからなる。すなわち、駆動ローラー４１ａと従動ローラー４１ｂとは水平方向に一定距離を空けて配置され、テンションローラー４１ｃは、このような駆動ローラー４１ａと従動ローラー４１ｂとの間かつ若干上方に変位した位置に配置されている。中間転写ベルト４２は、このようなベルトローラー４１（駆動ローラー４１ａ、従動ローラー４１ｂ、テンションローラー４１ｃ）に架け渡された無端ベルトであり、駆動ローラー４１ａによって矢印で示す方向に走行する。
【００２５】
すなわち、中間転写ベルト４２は、駆動ローラー４１ａと従動ローラー４１ｂとの間においては水平方向に走行する。また、上述した駆動ローラー４１ａは、駆動力を発生するモーターが軸結合されたローラーであり、モーターの動力によって中間転写ベルト４２を矢印方向に走行させる。上記従動ローラー４１ｂは、自由回転するように設けられたフリーローラーであり、中間転写ベルト４２を駆動ローラー４１ａの動力に従って案内する。また、上記テンションローラー４１ｃは、回転軸が可動可能に設けられ、所定の付整力で中間転写ベルト４２を押圧することにより一定のテンション（張力）を中間転写ベルト４２に付与するローラーである。
【００２６】
画像形成ユニット４３Ｙ，４３Ｃ，４３Ｍ，４３Ｋは、図示するように、上述した中間転写ベルト４２の水平走行部位に所定間隔を空けて設けられている。これら画像形成ユニット４３Ｙ，４３Ｃ，４３Ｍ，４３Ｋのうち、画像形成ユニット４３Ｙは、イエロー（Ｙ）のトナー画像を形成するユニットであり、従動ローラー４１ｂに最も近い位置に設けられている。画像形成ユニット４３Ｃは、シアン（Ｃ）のトナー画像を形成するユニットであり、上記画像形成ユニット４３Ｙの次に従動ローラー４１ｂに近い位置に設けられている。画像形成ユニット４３Ｍは、マゼンダ（Ｍ）のトナー画像を形成するユニットであり、上記画像形成ユニット４３Ｃの次に従動ローラー４１ｂに近い位置に設けられている。画像形成ユニット４３Ｋは、ブラック（Ｋ）のトナー画像を形成するユニットであり、駆動ローラー４１ａに最も近い位置に設けられている。
【００２７】
このような画像形成ユニット４３Ｙ，４３Ｃ，４３Ｍ，４３Ｋは、各々に感光体ドラムａｙ，ａｃ，ａｍ，ａｋ、帯電部ｂｙ，ｂｃ，ｂｍ，ｂｋ、レーザースキャニングユニットｃｙ，ｃｃ，ｃｍ，ｃｋ、現像ユニットｄｙ，ｄｃ，ｄｍ，ｄｋ及びクリーナーｅｙ，ｅｃ，ｅｍ，ｅｋを構成要素としている。
【００２８】
すなわち、画像形成ユニット４３Ｙは、感光体ドラムａｙ、帯電部ｂｙ、レーザースキャニングユニットｃｙ、現像ユニットｄｙ及びクリーナーｅｙから構成され、画像形成ユニット４３Ｃは、感光体ドラムａｃ、帯電部ｂｃ、レーザースキャニングユニットｃｃ、現像ユニットｄｃ及びクリーナーｅｃから構成され、画像形成ユニット４３Ｍは、感光体ドラムａｍ、帯電部ｂｍ、レーザースキャニングユニットｃｍ、現像ユニットｄｍ及びクリーナーｅｍから構成され、画像形成ユニット４３Ｋは、感光体ドラムａｋ、帯電部ｂｋ、レーザースキャニングユニットｃｋ、現像ユニットｄｋ及びクリーナーｅｋから構成されている。
【００２９】
各感光体ドラムａｙ，ａｃ，ａｍ，ａｋは、周面が所定の感光体材料（例えばアモルファスシリコン）で形成された円筒部材である。各帯電部ｂｙ，ｂｃ，ｂｍ，ｂｋは、各感光体ドラムａｙ，ａｃ，ａｍ，ａｋの周面（感光面）を均一に帯電させるものである。各レーザースキャニングユニットｃｙ，ｃｃ，ｃｍ，ｃｋは、帯電状態の上記感光面にレーザー光を照射することにより、感光面に静電潜像を形成するものである。
【００３０】
各現像ユニットｄｙ，ｄｃ，ｄｍ，ｄｋは、内部に所定の量のトナー（正極性トナー）を収容すると共に当該トナーを感光面に供給することにより当該感光面に形成された静電潜像をトナー画像として現像する。各クリーナーｅｙ，ｅｃ，ｅｍ，ｅｋは、トナー画像の転写後の感光面に残留するトナー（残留トナー）を掻き落として除去するものである。
【００３１】
１次転写ローラー４４Ｙ，４４Ｃ，４４Ｍ，４４Ｋは、図示するように画像形成ユニット４３Ｙ，４３Ｃ，４３Ｍ，４３Ｋに対応して４つ設けられており、各々に中間転写ベルト４２を挟んだ状態で各画像形成ユニット４３Ｙ，４３Ｃ，４３Ｍ，４３Ｋの感光体ドラムａｙ，ａｃ，ａｍ，ａｋに対向配置されている。また、各１次転写ローラー４４Ｙ，４４Ｃ，４４Ｍ，４４Ｋには負極性の１次転写バイアス（高電圧）が印加されており、各１次転写ローラー４４Ｙ，４４Ｃ，４４Ｍ，４４Ｋは、この１次転写バイアスの作用によって各画像形成ユニット４３Ｙ，４３Ｃ，４３Ｍ，４３Ｋの感光体ドラムａｙ，ａｃ，ａｍ，ａｋにそれぞれ形成された各色のトナー画像を中間転写ベルト４２に転写（１次転写）させる。
【００３２】
給紙カセット４５は、Ａ４サイズやＢ５サイズ等、所定形状の記録紙Ｐを複数枚重ねた状態で収容する容器である。ピックアップローラー４６は、給紙カセット４５の上部において記録紙Ｐに圧接するように設けられ、給紙カセット４５内の記録紙Ｐを１枚づつ取り出して搬送ローラー４７に送り出すローラーである。搬送ローラー４７は、ピックアップローラー４６から給紙された記録紙Ｐをレジストローラー４８に向けて搬送するローラーである。レジストローラー４８は、搬送ローラー４７から供給された記録紙Ｐを所定のタイミングで２次転写ローラー４９に供給するローラーである。
【００３３】
２次転写ローラー４９は、中間転写ベルト４２を挟んで駆動ローラー４１ａに対向配置されたローラーであり、中間転写ベルト４２上のトナー画像を記録紙Ｐに転写（２次転写）させるものである。この２次転写ローラー４９には、負極性の２次転写バイアス（高電圧）が印加されており、２次転写ローラー４９は、この２次転写バイアスの作用によって中間転写ベルト４２上のトナー画像を記録紙Ｐに転写（２次転写）させる。
【００３４】
分離除電部５０は、演算制御部６から入力される制御信号に基づいて記録紙Ｐに向けて正極性の除電バイアスを供給する。この除電バイアスは、記録紙Ｐの帯電を中和して無帯電状態にするためのものであり、記録紙Ｐの２次転写ローラー４９からの分離を良好にするものである。分離除電部５０は、ステンレスからなる鋸歯状電極を有し、この鋸歯状電極の先端付近に電界を形成して記録紙Ｐを除電する。
【００３５】
定着ローラー５１は、内部にヒータを備えた加熱ローラー５１ａと、当該加熱ローラー５１ａに圧接する加圧ローラー５１ｂとから構成されている。この定着ローラー５１は、加熱ローラー５１ａと加圧ローラー５１ｂとで各色のトナー画像が転写された記録紙Ｐを挟み込むことにより記録紙Ｐを加熱及び加圧して、各色のトナー画像を記録紙Ｐ上に定着させる。加熱ローラー５１ａ及び加圧ローラー５１ｂは、記録紙Ｐと接触する接触面（表面）が摩擦により負極性に帯電するフッ素系材料によって形成されている。すなわち、加熱ローラー５１ａ及び加圧ローラー５１ｂは、その表面が記録紙Ｐとの摩擦により負極性に帯電する。
【００３６】
排紙ローラー５２は、定着ローラー５１から搬送されると共に分岐ガイド５５により案内された記録紙Ｐを排紙トレイ５３に向けて搬送するローラーである。排紙トレイ５３は、排紙ローラー５２から供給された記録紙Ｐを収容・保持する収容部である。反転ローラー５４は、定着ローラー５１から搬送されると共に分岐ガイド５５により案内された記録紙Ｐをスイッチバック搬送するためのローラーである。つまり、反転ローラー５４は、正転することにより定着ローラー５１から供給された記録紙Ｐを挟み込み、当該挟みこんだ状態で逆転することにより記録紙Ｐを反転紙搬送ローラー５６に向けて搬送する。
【００３７】
分岐ガイド５５は、演算制御部６から入力される制御信号に基づいて定着ローラー５１から排出された記録紙Ｐの搬送先を排紙ローラー５２または反転ローラー５４に択一的に切り替える。つまり、分岐ガイド５５は、記録紙Ｐを排紙トレイ５３に排紙する場合には、第１の姿勢（図示する点線の姿勢）とすることにより記録紙Ｐの搬送先を排紙ローラー５２とし、一方、第２の姿勢（図示する実線の姿勢）とすることにより記録紙Ｐの搬送先を反転ローラー５４に切り替える。
【００３８】
反転紙搬送ローラー５６は、反転ローラー５４から供給された記録紙Ｐをレジストローラー４８に向けて搬送するための搬送経路（反転経路）に設けられたローラーである。この反転紙搬送ローラー５６は、図示するように、反転経路において離間した３箇所に設けられている。記録紙センサー５７は、定着ローラー５１と分岐ガイド５５との間に配置され、定着ローラー５１を通過した記録紙Ｐの枚数を検出し、当該枚数を示す検出信号を演算制御部６に出力する。
【００３９】
このように画像形成部４では、記録紙Ｐの表面と裏面とにトナー画像を形成する両面画像形成処理が、上記反転ローラー５４、分岐ガイド５５及び反転紙搬送ローラー５６が機能することにより実行される。つまり、記録紙Ｐは、表面に画像形成されて定着ローラー５１を通過すると、表面と裏面とが反転させられた状態でレジストローラー４８に再度供給されて、裏面に画像形成される。
【００４０】
通信部５は、演算制御部６から入力される制御信号に基づいて電話回線を介して外部の複合機Ａあるいはファクシミリ装置、またＬＡＮ（Local Area Network）を介してクライアントコンピューター等と通信を行うものである。すなわち、この通信部５は、イーサネット（登録商標）等のＬＡＮ規格に準拠した通信機能と、Ｇ３等のファクシミリ規格に準拠した通信機能とを兼ね備えたものである。
【００４１】
演算制御部６は、ＣＰＵ（Central Processing Unit）、ＲＯＭ（Read Only Memory）、ＲＡＭ（Random Access Memory）及び電気的に相互接続された各部と各種信号の送受信を行うインターフェイス回路等から構成されている。この演算制御部６は、上記ＲＯＭに記憶された各種演算制御プログラムに基づいて各種の演算処理を行うと共に各部と通信を行うことにより複合機Ａの全体動作を制御する。
【００４２】
次に、このように構成された複合機Ａの動作について図５を参照して説明する。
ユーザーは、例えば、画像形成における各種設定をデフォルトとは異なる設定値に変更する場合、タッチパネル１３の操作面１３ａに表示される各種設定を変更するための操作ボタンを操作する。
【００４３】
ここで、操作表示部１は、以下の特徴的な動作を行う。すなわち、圧電素子１４ａは、タッチパネル１３の操作面１３ａに表示される操作ボタンが押下されることによって押圧されると、熱を発生する（ステップＳ１）。温度検出部１４ｂは、サーモスターあるいは熱電対によって圧電素子１４で発生した熱を検出して、検出結果を示す検出信号を操作表示制御部１１に出力する（ステップＳ２）。一方、タッチパネル１３は、操作面１３における押圧位置（押圧座標）を示す操作信号を操作表示制御部１１に出力する（ステップＳ３）。
【００４４】
操作表示制御部１１は、温度検出部１４ｂから入力される検出信号に基づいて圧電素子１４ａが押圧されていると判断し、かつタッチパネル１３から入力される操作信号に基づいて操作面１３上の押圧位置が操作ボタン上である場合には、駆動部１４ｃを制御して複数の圧電素子１４ａ同士を同調させて振動させる（ステップＳ４）。
【００４５】
このような本実施形態によれば、タッチパネル１３の操作面１３ａの反対側の面に設けられた複数の圧電素子と、温度検出部１４ｂによって圧電素子１４ａが押圧されたことが検出されると、駆動部１４ｃを制御して圧電素子１４ａ同士の振動を同調させる操作制御部１１とを備えることによって、ユーザーがタッチパネル１３のどの場所を押下しても振動によって押下したことを認識できる。
【００４６】
以上、本発明の実施形態について説明したが、本発明は上記実施形態に限定されることなく、例えば以下のような変形が考えられる。
（１）上記実施形態において、操作表示制御部１１は、温度検出部１４ｂから入力される検出信号に基づいて圧電素子１４ａが押圧されていると判断し、かつタッチパネル１３から入力される操作信号に基づいて操作面１３上の押圧位置が操作ボタン上である場合に、複数の圧電素子１４ａ同士を同調させて振動させたが本発明はこれに限定されない。例えば、操作表示制御部１１は、温度検出部１４ｂから入力される検出信号に基づいて圧電素子１４ａが押圧されていると判断した場合には、タッチパネル１３から入力される操作信号に関係なく、複数の圧電素子１４ａ同士を同調させて振動させるようにしてもよい。
【００４７】
（２）上記実施形態では、圧電素子１４ａが押圧されたことを温度検出部１４ｂによって検出したが、本発明なこれに限定されない。例えば、温度検出部１４ｂの代わりに電圧検出部を設け、圧電素子１４ａが押下されることで発生する電圧を電圧検出部で検出することによって圧電素子１４ａが押圧されたことを検出するようにしてもよい。
【００４８】
（３）上記実施形態において、操作表示制御部１１は、タッチパネル１３が受け付けた設定指示に基づいて圧電素子１４ａを振動させる強度や周波数を変更するようにしてもよい。
【００４９】
（４）上記実施形態において、温度検出部１４ｂは、温度センサーとしてサーミスターあるいは熱電対を有し、このサーミスターあるいは熱電対によって圧電素子１４ａに発生した熱を検出したが、サーミスターや熱電対の代わりに金属製の測温抵抗体等を温度センサーとして用いるようにしてもよい。
【００５０】
（５）本実施形態では、本発明を適用した操作表示装置（操作表示部２）を画像形成装置である複合機Ａに搭載したが、この操作表示装置を、画像形成装置の他に、種々の電子機器に搭載することができる。
【符号の説明】
【００５１】
Ａ…複合機（画像形成装置）、１…操作表示部（操作表示装置）、２…画像読取部、３…画像データ記憶部、４…画像形成部、５…通信部、８…演算制御部、１１…操作表示制御部（制御手段）、１２…操作キー、１３…タッチパネル、１３ａ…操作面、１４…タッチパネル振動部、１４ａ…圧電素子、１４ｂ…温度検出部（検出手段）、１４ｃ…駆動部（制御手段）、４１ａ，４１ｂ，４１ｃ…ベルトローラー、４２…中間転写ベルト、４３Ｙ，４３Ｃ，４３Ｍ，４３Ｋ…画像形成ユニット、４４Ｙ，４４Ｍ，４４Ｃ，４４Ｋ…１次転写ローラー、４５…給紙カセット、４６…ピックアップローラー、４７…搬送ローラー、４８…レジストローラー、４９…２次転写ローラー、５０…分離除電部、５１…定着ローラー、５２…排紙ローラー、５３…排紙トレイ、５４…反転ローラー、５５…分岐ガイド、５６…反転紙搬送ローラー、５７…記録紙センサー、ａｙ，ａｍ，ａｃ，ａｋ…感光体ドラム、ｂｙ，ｂｍ，ｂｃ，ｂｋ…帯電部、ｃｙ，ｃｍ，ｃｃ，ｃｋ…レーザースキャニングユニット、ｄｙ，ｄｍ，ｄｃ，ｄｋ…現像ユニット、ｅｙ，ｅｍ，ｅｃ，ｅｋ…クリーナー、５１ａ…加熱ローラー、５１ｂ…加圧ローラー、Ｐ…記録紙
【図１】
2014149588.tif 000003
【図２】
2014149588.tif 000004
【図３】
2014149588.tif 000005
【図４】
2014149588.tif 000006
【図５】
2014149588.tif 000007